(57)【要約】【課題】一対の支持フレームに対して開閉扉を精度良く位置決めすることができる画像形成装置を提供する。【解決手段】  画像形成装置は、開口部を挟んで対向して配置されている一対の支持フレーム７Ｆ，７Ｂと、一方の支持フレーム７Ｂに回動軸５３を介して支持され、開口部を塞いでシートの給紙搬送路の一部を形成する閉塞位置Ｐ１と、開口部を開放する開放位置との間で回動軸５３を中心に回動する開閉扉４０と、開閉扉４０を閉塞位置Ｐ１に配置させた状態で、一対の支持フレーム７Ｆ，７Ｂと開閉扉４０の両端部とに設けられた凹凸形状を互いに係合させて開閉扉４０を一対の支持フレーム７Ｆ，７Ｂに位置決めする位置決め構造４１と、を備えている。【選択図】図９
2019026447.tif 000002
【特許請求の範囲】
【請求項１】
開口部を挟んで対向して配置されている一対の支持フレームと、
前記一対の支持フレームの何れか一方の前記支持フレームに回動軸を介して支持され、前記開口部を塞いでシートの搬送路の一部を形成する閉塞位置と、前記開口部を開放する開放位置との間で前記回動軸を中心に回動する開閉扉と、
前記開閉扉を前記閉塞位置に配置させた状態で、前記一対の支持フレームと前記開閉扉の両端部とに設けられた凹凸形状を互いに係合させて前記開閉扉を前記一対の支持フレームに位置決めする位置決め構造と、を備えていることを特徴とする画像形成装置。
【請求項２】
前記位置決め構造は、
一方の前記支持フレームと前記開閉扉の前記回動軸側の何れか一方に設けられている第１凹部と、
一方の前記支持フレームと前記開閉扉の前記回動軸側の何れか他方に設けられ、前記開閉扉を前記閉塞位置に配置させた状態で前記第１凹部に挿し込まれる第１凸部と、
他方の前記支持フレームと前記開閉扉の前記回動軸の反対側の何れか一方に設けられている第２凹部と、
他方の前記支持フレームと前記開閉扉の前記回動軸の反対側の何れか他方に設けられ、前記開閉扉を前記閉塞位置に配置させた状態で前記第２凹部に挿し込まれる第２凸部と、を含んでいることを特徴とする請求項１に記載の画像形成装置。
【請求項３】
前記一対の支持フレームは、対向方向に離間して起立姿勢で設けられ、
前記開閉扉は、上下方向に延びた前記回動軸に沿って上下方向に移動可能に設けられ、
前記第１凹部は、前記対向方向と上下方向とに直交する幅方向に長く形成され、
前記第１凸部は、前記第１凹部に挿し込まれた状態で、前記対向方向および上下方向に位置決めされ、
前記第２凹部は、前記対向方向に長く形成され、
前記第２凸部は、前記第２凹部に挿し込まれた状態で、幅方向および上下方向に位置決めされることを特徴とする請求項２に記載の画像形成装置。
【請求項４】
前記回動軸側の前記支持フレームは、板金部材であり、
前記第１凹部は、前記回動軸側の前記支持フレームに形成された貫通穴であることを特徴とする請求項３に記載の画像形成装置。
【請求項５】
前記一対の支持フレームの間に設けられ、前記閉塞位置に配置された前記開閉扉との間に前記搬送路を形成する搬送面部と、
前記搬送面部に回転可能に支持されている本体側ローラーと、
前記開閉扉に回転可能に支持され、前記開閉扉を前記閉塞位置に回動させた状態で前記本体側ローラーに押し付けられる対向ローラーと、を更に備えていることを特徴とする請求項１ないし４のいずれかに記載の画像形成装置。
【発明の詳細な説明】
【技術分野】
【０００１】
本発明は、画像形成装置に関する。
【背景技術】
【０００２】
画像形成装置は、搬送路に詰まったシートを除去するために、装置本体の側面を開口させる開閉扉を備えている。
【０００３】
例えば、特許文献１に記載の画像形成装置は、筐体の側面に沿って上下方向に延びた回動軸を中心に回動自在に支持された外装扉と、外装扉の内側に水平方向に延びた回動軸を中心に回動自在に支持され、シート搬送経路を開く揺動記録シートガイドと、を備えている。外装扉の内側には、記録シートを搬送するためのシート搬送経路を構成する記録シートガイドが設けられている。
【先行技術文献】
【特許文献】
【０００４】
【特許文献１】特開２００１−０１９１７７号公報
【発明の概要】
【発明が解決しようとする課題】
【０００５】
しかしながら、上記した画像形成装置では、筐体に対して外装扉を精度良く位置決めすることについて何ら考慮されていなかった。このため、外装扉を開閉する度に、筐体に対する記録シートガイドの位置が異なるという問題があった。記録シートガイドの位置が適正な位置から大きくずれた場合、記録シートを適切に搬送することができず、紙詰り（ジャム）を発生させる原因になることがあった。
【０００６】
本発明は、上記のような課題を解決するため、一対の支持フレームに対して開閉扉を精度良く位置決めすることができる画像形成装置を提供する。
【課題を解決するための手段】
【０００７】
上記した目的を達成するため、本発明の画像形成装置は、開口部を挟んで対向して配置されている一対の支持フレームと、前記一対の支持フレームの何れか一方の前記支持フレームに回動軸を介して支持され、前記開口部を塞いでシートの搬送路の一部を形成する閉塞位置と、前記開口部を開放する開放位置との間で前記回動軸を中心に回動する開閉扉と、前記開閉扉を前記閉塞位置に配置させた状態で、前記一対の支持フレームと前記開閉扉の両端部とに設けられた凹凸形状を互いに係合させて前記開閉扉を前記一対の支持フレームに位置決めする位置決め構造と、を備えている。
【０００８】
この場合、前記位置決め構造は、一方の前記支持フレームと前記開閉扉の前記回動軸側の何れか一方に設けられている第１凹部と、一方の前記支持フレームと前記開閉扉の前記回動軸側の何れか他方に設けられ、前記開閉扉を前記閉塞位置に配置させた状態で前記第１凹部に挿し込まれる第１凸部と、他方の前記支持フレームと前記開閉扉の前記回動軸の反対側の何れか一方に設けられている第２凹部と、他方の前記支持フレームと前記開閉扉の前記回動軸の反対側の何れか他方に設けられ、前記開閉扉を前記閉塞位置に配置させた状態で前記第２凹部に挿し込まれる第２凸部と、を含んでいることが好ましい。
【０００９】
この場合、前記一対の支持フレームは、対向方向に離間して起立姿勢で設けられ、前記開閉扉は、上下方向に延びた前記回動軸に沿って上下方向に移動可能に設けられ、前記第１凹部は、前記対向方向と上下方向とに直交する幅方向に長く形成され、前記第１凸部は、前記第１凹部に挿し込まれた状態で、前記対向方向および上下方向に位置決めされ、前記第２凹部は、前記対向方向に長く形成され、前記第２凸部は、前記第２凹部に挿し込まれた状態で、幅方向および上下方向に位置決めされることが好ましい。
【００１０】
この場合、前記回動軸側の前記支持フレームは、板金部材であり、前記第１凹部は、前記回動軸側の前記支持フレームに形成された貫通穴であることが好ましい。
【００１１】
この場合、前記一対の支持フレームの間に設けられ、前記閉塞位置に配置された前記開閉扉との間に前記搬送路を形成する搬送面部と、前記搬送面部に回転可能に支持されている本体側ローラーと、前記開閉扉に回転可能に支持され、前記開閉扉を前記閉塞位置に回動させた状態で前記本体側ローラーに押し付けられる対向ローラーと、を更に備えていることが好ましい。
【発明の効果】
【００１２】
本発明によれば、一対の支持フレームに対して開閉扉を精度良く位置決めすることができる。
【図面の簡単な説明】
【００１３】
【図１】本発明の一実施形態に係る画像形成装置の内部構造を模式的に示す断面図である。
【図２】本発明の一実施形態に係る画像形成装置であって、開閉扉を開いた状態を模式的に示す正面図である。
【図３】本発明の一実施形態に係る画像形成装置のジャム処理構造であって、開閉扉を開いた状態を模式的に示す平面図である。
【図４】本発明の一実施形態に係る画像形成装置の後方の支持フレームの一部を示す斜視図である。
【図５】本発明の一実施形態に係る画像形成装置の前方の支持フレームの一部を示す斜視図である。
【図６】本発明の一実施形態に係る画像形成装置の開閉扉の後方を示す斜視図である。
【図７】本発明の一実施形態に係る画像形成装置の開閉扉の前方を示す斜視図である。
【図８】本発明の一実施形態に係る画像形成装置のジャム処理構造であって、開閉扉を閉じる過程を模式的に示す平面図である。
【図９】本発明の一実施形態に係る画像形成装置のジャム処理構造であって、開閉扉を閉じた状態を模式的に示す平面図である。
【発明を実施するための形態】
【００１４】
以下、添付の図面を参照しつつ、本発明の実施形態について説明する。なお、図１の紙面手前を正面とし、各図に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。また、以下の説明では、「搬送方向」との用語は、シートＳの搬送方向を指し、「上流」および「下流」並びにこれらに類する用語は、搬送方向の「上流」および「下流」並びにこれらに類する概念を指す。これらの方向を示す用語は、説明の便宜のために用いるものであって、本発明の技術的範囲を限定するものではない。
【００１５】
図１を参照して、本実施形態に係る画像形成装置１の全体構成について説明する。図１は画像形成装置１の内部構造を模式的に示す断面図である。
【００１６】
画像形成装置１は、プリント装置１Ａと、スキャン装置１Ｂと、を備えている。プリント装置１Ａは、各インクジェットヘッド２２Ａからインク滴を吐出しシートＳに画像を形成するインクジェット式のプリンターである。スキャン装置１Ｂは、プリント装置１Ａの上面に配置され、原稿の画像情報を光学的に読み取る装置である。なお、スキャン装置１Ｂは公知の構造であるため、その詳細な説明は省略する。
【００１７】
［プリント装置］
プリント装置１Ａは、略直方体状の外観を構成する装置本体２を備えている。装置本体２の内部下側には、４つの給紙カセット３が着脱可能に設けられている。４つの給紙カセット３には、それぞれ、異なるサイズのシートＳ（の束）が収容されている。装置本体２の上下方向中央部には、シートＳ（の束）を載置するための手差しトレイ４が設けられている。手差しトレイ４は、装置本体２の右側面から右斜め上方に延びている。装置本体２の上部には、第１排紙トレイ５と第２排紙トレイ６とが設けられている。第１排紙トレイ５は、装置本体２の左側面から左斜め上方に延びている。第２排紙トレイ６は、装置本体２の右側面（右上角部）から右斜め上方に延びている。なお、シートＳは、紙製に限らず、樹脂製のフィルム等であってもよい。
【００１８】
装置本体２の内部には、シートＳを搬送するための搬送路として、給紙搬送路１０と、手差し搬送路１１と、第１搬送路１２と、第２搬送路１３と、第１排紙搬送路１４と、第２排紙搬送路１５とが構成されている。
【００１９】
給紙搬送路１０は、４つの給紙カセット３からレジストローラー対３１（後述する）の上流側まで延びている。手差し搬送路１１は、手差しトレイ４から給紙搬送路１０の下流側まで延びている。第１搬送路１２は、レジストローラー対３１の下流側から装置本体２の左側壁近傍まで延びている。第２搬送路１３は、第１搬送路１２の下流端と上流端とを連通させるように形成されている。第１および第２搬送路１２，１３は、全体として、画像形成部２２（後述する）の周りを囲むように環状に形成されている。第１排紙搬送路１４は、第１搬送路１２の下流端から第１排紙トレイ５まで延びている。第２排紙搬送路１５は、第１搬送路１２の下流側から第２排紙トレイ６まで延びている。
【００２０】
第２搬送路１３は、循環経路１３Ａと、スイッチバック経路１３Ｂと、再搬送経路１３Ｃと、を含んでいる。循環経路１３Ａは、第１搬送路１２の下流端から上方に折り返されるように湾曲した後、第２排紙搬送路１５の上流端まで延びている。スイッチバック経路１３Ｂは、第２搬送路１３の下流端から下方に折り返されるように湾曲した後、左方向に延びている。再搬送経路１３Ｃは、スイッチバック経路１３Ｂから分岐して下方に折り返されるように湾曲し、第１搬送路１２の上流端まで延びている。
【００２１】
プリント装置１Ａは、４つのカセット給紙部２０と、手差し給紙部２１と、画像形成部２２と、第１搬送部２３と、第２搬送部２４と、を装置本体２の内部に備えている。
【００２２】
４つのカセット給紙部２０は、それぞれ、各給紙カセット３の近傍に設けられ、給紙カセット３内のシートＳを１枚ずつ分離して給紙搬送路１０に送り出す。給紙搬送路１０の上流側には、複数（例えば４つ）の第１給紙ローラー対２６が所定の間隔で配置されている。給紙搬送路１０の下流側には、複数（例えば３つ）の第２給紙ローラー対２７が所定の間隔で配置されている。第１および第２給紙ローラー対２６，２７は、シートＳを挟持した状態で回転することでシートＳを下流側に送り出す。手差し給紙部２１は、手差しトレイ４の近傍に設けられ、手差しトレイ４上のシートＳを１枚ずつ分離して手差し搬送路１１に送り出す。
【００２３】
画像形成部２２は、シートＳに画像を形成する装置であって、例えば、キャリッジ（図示せず）に搭載された４つのインクジェットヘッド２２Ａを含んでいる。４つのインクジェットヘッド２２Ａは、左右方向に並んで配置され、インクタンク２５に接続されている。４つのインクタンク２５は、装置本体２の内部左側に配置され、４色（イエロー、マゼンタ、ブラック、シアン）のインクを収容している。各インクジェットヘッド２２Ａの下面には、第１搬送路１２を搬送されるシートＳに向かってインク滴を吐出するための多数のノズル（図示せず）が形成されている。
【００２４】
第１搬送部２３は、レジストローラー対３１と、印字搬送ベルト３２と、乾燥搬送ベルト３３と、第１デカーラー３４と、を含んでいる。
【００２５】
レジストローラー対３１は、第１搬送路１２の上流端部（画像形成部２２よりも上流側）に配置されている。レジストローラー対３１は、画像形成部２２にシートＳを搬送するタイミングを調整する。
【００２６】
印字搬送ベルト３２は、第１搬送路１２において各インクジェットヘッド２２Ａの下面に対向して配置されている。乾燥搬送ベルト３３は、第１搬送路１２において印字搬送ベルト３２よりも下流側に配置されている。これらの搬送ベルト３２，３３は、それぞれ、複数のローラーに掛け回された無端状のベルトであって、図１の矢印方向に回転駆動されるようになっている。図示は省略するが、各搬送ベルト３２，３３には、吸引装置に通じた多数の吸気孔が開口している。吸引装置が駆動されることで、シートＳが各搬送ベルト３２，３３の上面に吸着された状態で搬送される。第１デカーラー３４は、第１搬送路１２において乾燥搬送ベルト３３よりも下流側に配置され、画像形成されたシートＳのカールを矯正する。
【００２７】
第２搬送部２４は、複数の排紙搬送ローラー対３５と、第２デカーラー３６と、両面搬送ローラー対３７と、反転ローラー対３８と、再搬送ローラー対３９と、を含んでいる。
【００２８】
複数の排紙搬送ローラー対３５は、循環経路１３Ａに沿って所定の間隔で配置されている。第２デカーラー３６は、循環経路１３Ａの下流端部に配置され、画像形成されたシートＳのカールを矯正する。両面搬送ローラー対３７は、スイッチバック経路１３Ｂの上流側に配置されている。反転ローラー対３８は、スイッチバック経路１３Ｂの湾曲した部分よりも下流側に設けられている。再搬送ローラー対３９は、再搬送経路１３Ｃの湾曲した部分に設けられている。これらのローラー対３５，３７，３８，３９は、シートＳを挟み込んだ状態で回転することでシートＳを下流側に送り出す。
【００２９】
［画像形成装置の作用］
ここで、画像形成装置１の作用（画像形成処理）について説明する。以上説明した画像形成装置１の各装置（構成）は、制御装置（図示せず）に制御されて以下のように画像形成処理を実行する。なお、ここでは、１つの給紙カセット３から１枚のシートＳを給紙することとする。
【００３０】
カセット給紙部２０は、給紙カセット３内のシートＳを給紙搬送路１０に送り出す。給紙搬送路１０を搬送されてきたシートＳは、停止しているレジストローラー対３１に突き当たる。これにより、シートＳに撓みが生じて、シートＳの斜行が矯正（補正）される。
【００３１】
レジストローラー対３１は、インクの吐出タイミングに合せて斜行補正されたシートＳを第１搬送路１２に送り出す。各インクジェットヘッド２２Ａは、印字搬送ベルト３２に吸着搬送されるシートＳの一面にインクを吐出して画像を形成する。各搬送ベルト３２，３３および第１デカーラー３４は、片面印刷されたシートＳを第１搬送路１２から第１排紙搬送路１４に送り出し、第１排紙トレイ５に排出する。また、片面印刷されたシートＳを反転して排紙する場合、複数の排紙搬送ローラー対３５および第２デカーラー３６は、シートＳを循環経路１３Ａから第２排紙搬送路１５に送り出し、第２排紙トレイ６に排出する。
【００３２】
一方、両面印刷を行う場合、シートＳは、循環経路１３Ａからスイッチバック経路１３Ｂに進入する。両面搬送ローラー対３７および反転ローラー対３８は、シートＳをスイッチバック経路１３Ｂの下流側に搬送し、反転ローラー対３８は、スイッチバック経路１３Ｂの直線部分に進入したシートＳを一時停止させる。反転ローラー対３８は、逆方向に回転駆動され、シートＳをスイッチバック経路１３Ｂから再搬送経路１３Ｃに送り出して反転させる。再搬送ローラー対３９は、再搬送経路１３Ｃに送られたシートＳを再び第１搬送路１２に向けて送り出す。
【００３３】
シートＳは、再びレジストローラー対３１で斜行補正され、インクの吐出タイミングに合せて第１搬送路１２に送り出される。その後、上記と同じ工程で、シートＳの他面（裏面）に画像が形成され、両面印刷されたシートＳは、第１排紙トレイ５または第２排紙トレイ６に排紙される。
【００３４】
ところで、画像形成装置１は、給紙搬送路１０、第１および第２搬送路１２，１３等に配置された検知装置（図示せず）を用いてシートＳの搬送不良（ジャム）を検知するように構成されている。ジャムが発生すると、制御装置は画像形成動作を停止させ、ジャムの発生を示すメッセージ等を液晶画面等（図示せず）に表示する。本実施形態に係る画像形成装置１は、ユーザー等によるジャム処理を可能にするジャム処理構造２８を備えている。
【００３５】
［ジャム処理構造］
次に、図２ないし図７を参照して、ジャム処理構造２８について説明する。図２は開閉扉４０を開いた状態を模式的に示す正面図である。図３は開閉扉４０を開いた状態を模式的に示す平面図である。図４は画像形成装置１の後方の支持フレーム７Ｂの一部を示す斜視図である。図５は画像形成装置１の前方の支持フレーム７Ｆの一部を示す斜視図である。図６は開閉扉４０の後方を示す斜視図である。図７は開閉扉４０の前方を示す斜視図である。
【００３６】
図２および図３に示すように、ジャム処理構造２８は、一対の支持フレーム７Ｆ，７Ｂと、開閉扉４０と、位置決め構造４１と、を備えている。ジャム処理構造２８は、例えば、レジストローラー対３１付近に詰まったシートＳを除去するために設けられている。
【００３７】
＜支持フレーム＞
図２ないし図５に示すように、一対の支持フレーム７Ｆ，７Ｂは、例えば、板金部材で形成されており、前後方向（対向方向）に離間して起立姿勢で設けられている。一対の支持フレーム７Ｆ，７Ｂの外側には、例えば、合成樹脂製の外装壁（図示せず）が固定されている。すなわち、装置本体２は、一対の支持フレーム７Ｆ，７Ｂと外装壁とを含んで構成されている。一対の支持フレーム７Ｆ，７Ｂは、装置本体２の主要な骨組を構成している。前方の支持フレーム７Ｆの右端部には、上下一対の本体側フック４２が固定されている（図５参照）。
【００３８】
一対の支持フレーム７Ｆ，７Ｂは、装置本体２（外装壁）の上部右側面に開口した開口部８を挟んで対向して配置されている。開口部８は、側面から見て略矩形状に形成されている。また、一対の支持フレーム７Ｆ，７Ｂは、上記した画像形成部２２、各搬送部２３，２４、各搬送路１０〜１５等（図１参照）を挟んで対向して配置されている。
【００３９】
図４および図５に示すように、一対の支持フレーム７Ｆ，７Ｂの間には、搬送面部４３が設けられている。搬送面部４３は、各支持フレーム７Ｆ，７Ｂの開口部８側（右側）に配置され、給紙搬送路１０の一部（一面）を形成している。搬送面部４３には、３つの第２給紙ローラー対２７の本体側ローラー２７Ａが回転可能に支持されている。各本体側ローラー２７Ａは、前後方向に延びたローラー軸と、それに固定された複数のコロと、を含んでいる。各本体側ローラー２７Ａのローラー軸は、コロを搬送面部４３の表面から露出させた状態で搬送面部４３に支持されている。なお、各本体側ローラー２７Ａは、ギア列等を介して駆動モーター（図示せず）に接続され、駆動モーターによって回転駆動される。
【００４０】
＜開閉扉＞
図２および図３に示すように、開閉扉４０は、後方の支持フレーム７Ｂに上下方向に延びた回動軸５３（後述する）を介して支持されている。開閉扉４０は、開口部８を塞いで給紙搬送路１０の一部（下流側）を形成する閉塞位置Ｐ１（図１参照）と、開口部８を開放する開放位置Ｐ２（図２等参照）との間で回動軸５３を中心に回動するようになっている。なお、以下の説明では、開閉扉４０が閉塞位置Ｐ１に配置された状態を基準にする。
【００４１】
開閉扉４０は、外装カバー４４と、開閉搬送部４５と、ヒンジ部４６と、を含んでいる。
【００４２】
図２、図３、図６および図７に示すように、外装カバー４４は、例えば、合成樹脂製で略矩形板状に形成されている。外装カバー４４、外装壁の右側面の一部を構成している。外装カバー４４には、手差しトレイ４（図１参照）が回動可能に支持されている。外装カバー４４の前端部には、上下一対の扉側フック４７が設けられている（図７参照）。一対の扉側フック４７は、前方の支持フレーム７Ｆに固定された一対の本体側フック４２（図５参照）に引っ掛かることで、開閉扉４０を閉塞位置Ｐ１に保持する。なお、外装カバー４４の外面には、各扉側フック４７を回動させて各本体側フック４２との係合を解除（ロック解除）するための解除ハンドル（図示せず）が設けられている。
【００４３】
開閉搬送部４５は、略直方体状に形成され、外装カバー４４の内面に固定されている。開閉搬送部４５の内部には、手差し搬送路１１や再搬送経路１３Ｃの一部等が形成されている（図１参照）。また、開閉扉４０を閉塞位置Ｐ１に配置した状態で、開閉搬送部４５の下部内面は、空隙を挟んで搬送面部４３に対向して配置される。つまり、閉塞位置Ｐ１に配置された開閉搬送部４５（開閉扉４０）と搬送面部４３との間に給紙搬送路１０の一部（下流側）が形成される。また、開閉搬送部４５の内部には、手差し給紙部２１や再搬送ローラー対３９等が設けられている（図１参照）。
【００４４】
さらに、図６および図７に示すように、開閉搬送部４５には、３つの第２給紙ローラー対２７の対向ローラー２７Ｂが回転可能に支持されている。各対向ローラー２７Ｂは、前後方向に延びたローラー軸と、それに固定された複数のコロと、を含んでいる。各対向ローラー２７Ｂのローラー軸は、コロを開閉搬送部４５の内面下部から露出させた状態で開閉搬送部４５に支持されている。各対向ローラー２７Ｂ（コロ）は、開閉扉４０を閉塞位置Ｐ１に配置させた状態で本体側ローラー２７Ａに押し付けられ（図１参照）、本体側ローラー２７Ａに従動して回転する。
【００４５】
図２に示すように、ヒンジ部４６は、本体側ヒンジ部５０と、扉側ヒンジ部５５と、含んでいる。本体側ヒンジ部５０および扉側ヒンジ部５５は、例えば、鉄やステンレス等の金属材料で形成されている。
【００４６】
図４に示すように、本体側ヒンジ部５０は、後方の支持フレーム７Ｂの右端部に固定されている。本体側ヒンジ部５０は、上下一対の軸支持ブラケット５１と、中間ブラケット５２と、を含んでいる。各軸支持ブラケット５１は、垂直板５１Ｖの上下両端から右方向に一対の水平板５１Ｈを延ばして略Ｕ字状に形成されている。各水平板５１Ｈには、略円柱状の回動軸５３を上下方向に貫通させるための軸穴５１Ａが形成されている。中間ブラケット５２は、一対の軸支持ブラケット５１の間に配置されている。中間ブラケット５２は、垂直板５２Ｖの下端から右方向に水平板５２Ｈを延ばして略Ｌ字状に形成されている。中間ブラケット５２の水平板５２Ｈには、略円柱状のボス５４が立てられた状態に設けられている。ボス５４の上端部は、テーパー状に形成されている。
【００４７】
図６に示すように、扉側ヒンジ部５５は、本体プレート５６と、上下一対の支持アーム５７と、中間スリーブ５８と、を含んでいる。本体プレート５６は、上下方向に長い長方形状に形成され、外装カバー４４の後端部に固定されている。上下一対の支持アーム５７は、上下一対の軸支持ブラケット５１に対応する位置で本体プレート５６に固定されている。各支持アーム５７は、上下方向に離間した一対のアーム片５７Ａで構成されている。一対のアーム片５７Ａの間隔は、軸支持ブラケット５１の一対の水平板５１Ｈの間隔よりも短く設定されている。各アーム片５７Ａは、本体プレート５６から略水平に後方に延びた状態に形成されている。各アーム片５７Ａの基端部は本体プレート５６に固定され、各アーム片５７Ａの先端部は本体プレート５６よりも後方に位置している。各アーム片５７Ａの先端部には、回動軸５３を貫通させるための軸穴５７Ｂが形成されている。中間スリーブ５８は、中間ブラケット５２のボス５４に対応する位置で本体プレート５６に固定されている。中間スリーブ５８は、ボス５４を挿し込むことが可能な略円筒状に形成されている。
【００４８】
中間ブラケット５２のボス５４は中間スリーブ５８に嵌合し、各支持アーム５７は対応する軸支持ブラケット５１の内側に配置される（図２参照）。回動軸５３は、軸支持ブラケット５１の軸穴５１Ａと支持アーム５７の軸穴５７Ｂとに挿し込まれる。回動軸５３が軸支持ブラケット５１および支持アーム５７を上下方向に貫通した状態で、回動軸５３の上下両端部に止め輪Ｃ（図４参照）が取り付けられる。以上によって、開閉扉４０は、回動軸５３を中心として回転可能な状態で後方の支持フレーム７Ｂに支持される。また、この状態で、開閉扉４０は、上下方向に延びた回動軸５３に沿って上下方向に数ミリ程度移動可能に設けられる。
【００４９】
＜位置決め構造＞
位置決め構造４１は、開閉扉４０を閉塞位置Ｐ１に配置させた状態で、一対の支持フレーム７Ｆ，７Ｂと開閉扉４０の両端部とに設けられた凹凸形状を互いに係合させて開閉扉４０を一対の支持フレーム７Ｆ，７Ｂに位置決めする。具体的には、図３ないし図７に示すように、位置決め構造４１は、第１凹部６０と、第１凸部６１と、第２凹部６２と、第２凸部６３と、を含んでいる。
【００５０】
図３および図４に示すように、第１凹部６０は、後方（一方）の支持フレーム７Ｂの右側に設けられている。詳細には、第１凹部６０は、中間ブラケット５２の左側近傍に形成された膨出部６４に設けられている。膨出部６４は、支持フレーム７Ｂの内面から前方に突き出すように形成されている。膨出部６４は、正面から見て左右方向に長い略長円形状に形成され、側面から見て先端に向かって細くなる略台形状に形成されている。第１凹部６０は、例えば、支持フレーム７Ｂ（板金部材）に絞り加工を施すことで形成された膨出部６４の先端面に、バーリング加工によって形成された貫通穴である。第１凹部６０は、左右方向（対向方向と上下方向とに直交する幅方向）に長い略長円状に形成されている。
【００５１】
図３および図６に示すように、第１凸部６１は、開閉扉４０の回動軸５３側（釣元側）で第１凹部６０に対応する位置に設けられている。詳細には、第１凸部６１は、中間スリーブ５８の左側近傍で開閉搬送部４５の後端面に固定された第１支持台６５に設けられている。第１支持台６５は、例えば、金属製で略直方体状に形成されている。第１支持台６５は開閉搬送部４５の後端面から後方に突き出すように設けられている。第１凸部６１は、例えば、金属材料または樹脂材料によって略円柱状に形成されている。第１凸部６１の直径は、第１凹部６０の上下方向の内径（間隔）よりも僅かに小さく設定されている。第１凸部６１の先端部には、略円錐状の第１テーパー部６１Ａが形成されている。第１凸部６１の基端部は、第１支持台６５の先端面に固定されている。第１凸部６１は、第１支持台６５の先端面から後方に突き出すように設けられている。
【００５２】
図３および図５に示すように、第２凹部６２は、前方（他方）の支持フレーム７Ｆの右側に設けられている。詳細には、第２凹部６２は、開口部８の上下方向略中央に固定された戸当り部６６に設けられている。戸当り部６６は、例えば、金属製で中空の略直方体状に形成されている。戸当り部６６は、支持フレーム７Ｆの内面から後方に突き出すように設けられている。第２凹部６２は、戸当り部６６の右側面に開口している。第２凹部６２は、前後方向に長い略長円状に形成されている。
【００５３】
図３および図７に示すように、第２凸部６３は、開閉扉４０の回動軸５３の反対側（手先側）で第２凹部６２に対応する位置に設けられている。詳細には、第２凸部６３は、開閉搬送部４５の前端面の上下方向略中央に固定された第２支持台６７に設けられている。第２支持台６７は、例えば、金属製で略直方体状に形成されている。第２支持台６７は開閉搬送部４５の前端面から前方に突き出すように設けられている。第２凸部６３は、例えば、金属材料または樹脂材料によって略円柱状に形成されている。第２凸部６３の直径は、第２凹部６２の上下方向の内径（間隔）よりも僅かに小さく設定されている。第２凸部６３の先端部には、略円錐状の第２テーパー部６３Ａが形成されている。第２凸部６３の基端部は、第２支持台６７の左側面に固定されている。第２凸部６３は、第２支持台６７の左側面から左方に突き出すように設けられている。
【００５４】
［ジャム処理構造の作用］
次に、図３、図８および図９を参照して、ジャム処理構造２８の作用について説明する。図８は開閉扉４０を閉じる過程を模式的に示す平面図である。図９は開閉扉４０を閉じた状態を模式的に示す平面図である。
【００５５】
＜開閉扉を開く場合＞
例えば、レジストローラー対３１でシートＳが詰まった場合（ジャムの発生）、ユーザーは、外装カバー４４の解除ハンドルを操作してロック解除し、回動軸５３を中心として開閉扉４０を外側に回動させる。すると、図３に示すように、開閉扉４０は、閉塞位置Ｐ１から開放位置Ｐ２に回動された状態になる。開閉扉４０が開放位置Ｐ２に配置されると開口部８の略全体が開口するため、給紙搬送路１０の下流側（レジストローラー対３１の上流側）等が露出する。これにより、ユーザーは、詰まったシートＳを取り除くことができる。なお、開閉扉４０の回動角度は、例えば、約９０度に設定されている。
【００５６】
仮に、開閉扉４０が下方の一辺を支点として回動して斜めに保持される場合、支点付近が十分に開かないため、ジャム処理時におけるユーザーの視認性が悪化することがある。この点、本実施形態に係る画像形成装置１では、開閉扉４０が装置本体２の後方で上下方向に延びた回動軸５３を中心として約９０度回動するため、開口部８全体を開放することができる。これにより、ジャム処理時におけるユーザーの視認性を向上させることができる。
【００５７】
開放位置Ｐ２に配置した開閉扉４０は、自重によって回転軸に沿って僅かに下がっている。詳細には、扉側ヒンジ部５５の支持アーム５７（図６参照）の下端が本体側ヒンジ部５０の軸支持ブラケット５１の水平板５１Ｈ（図４参照）に突き当たり、且つ扉側ヒンジ部５５の中間スリーブ５８（図６参照）が本体側ヒンジ部５０の中間ブラケット５２の水平板５２Ｈ（図４参照）に突き当たっている。また、開閉扉４０の手先側は、釣元側よりも僅かに垂れ下がっている。
【００５８】
＜開閉扉を閉じる場合＞
ジャム処理が終了した後、ユーザーは、開閉扉４０を開放位置Ｐ２から閉塞位置Ｐ１に回動させる。図８に示すように、開閉扉４０の回動が進むと、開閉扉４０の釣元側に設けられた第１凸部６１の先端部が第１凹部６０に進入し始める。詳細には、第１凸部６１は、左側から右側に向かう円軌道を描きながら第１凹部６０内に進入して行く。この際、第１凹部６０は左右方向に長く形成されているため（図４参照）、第１凸部６１は、膨出部６４等に干渉することなく、第１凹部６０内に円滑に進入する。また、この際、第１凸部６１は、第１凹部６０の縁部に接触した第１テーパー部６１Ａ（図６参照）に案内されながら第１凹部６０内に進入する。
【００５９】
開閉扉４０の回動が更に進むと、開閉扉４０の手先側に設けられた第２凸部６３の先端部が第２凹部６２に進入し始める。詳細には、第２凸部６３は、前側から後側に向かう円軌道を描きながら第２凹部６２内に進入して行く。この際、第２凹部６２は前後方向に長く形成されているため（図５参照）、第２凸部６３は、戸当り部６６等に干渉することなく、第２凹部６２内に円滑に進入する。また、この際、第２凸部６３は、第２凹部６２の縁部に接触した第２テーパー部６３Ａ（図７参照）に案内されながら第２凹部６２内に進入する。先に述べたように、開閉扉４０の手先側は僅かに垂れ下がっているため、第２凸部６３が第２凹部６２内に進行するに従って、開閉扉４０の手先側が僅かに持ち上げられる。
【００６０】
図９に示すように、第２支持台６７が戸当り部６６に突き当たると、開閉扉４０の回動が規制される。つまり、開閉扉４０が閉塞位置Ｐ１に配置された状態になる。この状態で、各扉側フック４７が各本体側フック４２に係合し、開閉扉４０が閉塞位置Ｐ１に保持されている。また、第１凸部６１は、開閉扉４０を閉塞位置Ｐ１に配置させた状態で第１凹部６０に挿し込まれている。第１凸部６１は、第１凹部６０に挿し込まれた状態で、前後方向および上下方向に位置決めされている。一方で、第２凸部６３は、開閉扉４０を閉塞位置Ｐ１に配置させた状態で第２凹部６２に挿し込まれている。第２凸部６３は、第２凹部６２に挿し込まれた状態で、左右方向および上下方向に位置決めされている。さらに、開閉扉４０に支持された各対向ローラー２７Ｂは、搬送面部４３に支持された各本体側ローラー２７Ａに押し付けられている（図１参照）。
【００６１】
以上説明した本実施形態に係る画像形成装置１では、各支持フレーム７Ｆ，７Ｂと開閉扉４０とが互いの凹凸形状を係合させることで、一対の支持フレーム７Ｆ，７Ｂに対して開閉扉４０の位置が決まる構成とした。具体的には、第１凸部６１が支持フレーム７Ｂの第１凹部６０に挿し込まれ、且つ第２凸部６３が支持フレーム７Ｆの第２凹部６２に挿し込まれることで、開閉扉４０が正確な閉塞位置Ｐ１に配置される構成とした。この構成によれば、開閉扉４０を繰り返し開閉させたとしても、第１および第２凸部６１，６３と第１および第２凹部６０，６２との嵌め合いによって、一対の支持フレーム７Ｆ，７Ｂに対して開閉扉４０を直接的に精度良く位置決めすることができる。これにより、閉塞位置Ｐ１に配置された開閉扉４０が搬送面部４３との間に適正な給紙搬送路１０等を形成することができるため、シートＳの適切な搬送を担保することができる。
【００６２】
また、本実施形態に係る画像形成装置１によれば、開閉扉４０が上下方向に僅かに移動するため、例えば、開閉扉４０の手先側が垂れ下がっていても、開閉扉４０の上下方向の位置を微調整しつつ、第１および第２凸部６１，６３を第１および第２凹部６０，６２に適切に挿し込むことができる。
【００６３】
また、本実施形態に係る画像形成装置１では、第１凸部６１が第１凹部６０に挿し込まれて前後方向（対向方向）および上下方向に位置決めされ、第２凸部６３が第２凹部６２に挿し込まれて左右方向（幅方向）および上下方向に位置決めされる構成とした。この構成によれば、第１および第２凸部６１，６３を第１および第２凹部６０，６２に挿し込むだけで、一対の支持フレーム７Ｆ，７Ｂに対して開閉扉４０の上下方向、前後方向および左右方向の位置を決めることができる。
【００６４】
仮に、開閉扉４０を支持フレーム７Ｆ，７Ｂ以外の他の部品に支持させた場合、開閉扉４０の支持部分の公差と、搬送面部４３の支持部分の公差とが累積するため、搬送面部４３に対して開閉扉４０を精度良く位置決めすることができない。このため、各本体側ローラー２７Ａに対して各対向ローラー２７Ｂの位置がずれることがあり、適切なシートＳの搬送を担保することができないことがある。この点、本実施形態に係る画像形成装置１によれば、開閉扉４０が一対の支持フレーム７Ｆ，７Ｂに直接位置決めされているため、開閉扉４０を他の部品に支持させた場合に比べて、搬送面部４３に対して開閉扉４０（開閉搬送部４５）を精度良く位置決めすることができる。これにより、各本体側ローラー２７Ａに対して各対向ローラー２７Ｂを適切な姿勢で押し当てることができ、適切なシートＳの搬送を担保することができる。
【００６５】
なお、本実施形態に係る画像形成装置１では、開閉扉４０（回動軸５３）は、後方の支持フレーム７Ｂに支持されていたが、これに限らず、前方の支持フレーム７Ｆに支持されていてもよい。この場合、第１凹部６０および第１凸部６１を前方に設け、第２凹部６２および第２凸部６３を後方に設ける。また、開閉扉４０は、装置本体２の右側面に形成されていたが、これに限らず、装置本体２の左側面に設けられていてもよい。また、一対の支持フレーム７Ｆ，７Ｂは、前後方向に対向して配置されていたが、これに限らず、左右方向に対向して配置されていてもよい。この場合、開閉扉４０は、装置本体２の前側面または後側面に設けられる。
【００６６】
また、本実施形態に係る画像形成装置１では、第１および第２凸部６１，６３が開閉扉４０に設けられ、第１および第２凹部６０，６２が一対の支持フレーム７Ｆ，７Ｂに設けられていたが、本発明はこれに限定されない。第１および第２凸部６１，６３が一対の支持フレーム７Ｆ，７Ｂに設けられ、第１および第２凹部６０，６２が開閉扉４０に設けられていてもよい。
【００６７】
また、本実施形態の説明では、一例として、本発明が、インクジェット式のカラープリンター１に適用された場合を示したが、これに限らず、例えば、電子写真式のカラープリンター等に適用されてもよい。また、本発明がモノクロプリンター、複写機、ファクシミリまたは複合機等に適用されてもよい。
【００６８】
なお、上記実施形態の説明は、本発明に係る画像形成装置における一態様を示すものであって、本発明の技術範囲は、上記実施形態に限定されるものではない。
【符号の説明】
【００６９】
１      画像形成装置
７Ｆ，７Ｂ  支持フレーム
８      開口部
１０    給紙搬送路（搬送路）
５３    回動軸
２７Ａ  本体側ローラー
２７Ｂ  対向ローラー
４０    開閉扉
４１    位置決め構造
４３    搬送面部
６０    第１凹部
６１    第１凸部
６２    第２凹部
６３    第２凸部
Ｐ１    閉塞位置
Ｐ２    開放位置
Ｓ      シート
【図１】
2019026447.tif 000003
【図２】
2019026447.tif 000004
【図３】
2019026447.tif 000005
【図４】
2019026447.tif 000006
【図５】
2019026447.tif 000007
【図６】
2019026447.tif 000008
【図７】
2019026447.tif 000009
【図８】
2019026447.tif 000010
【図９】
2019026447.tif 000011